(57)【要約】      （修正有）【課題】ガタ付き等のない眼鏡フレームのテンプル連結構造を提供する。【解決手段】テンプル２０は、先端部分に上下方向に弾性変形可能な一対の弾性アーム２３，２３が形成され、両弾性アーム２３，２３の先端にそれぞれ上下方向外方へ突出するヒンジピン２５，２５が設けられている。両弾性アーム２３，２３を互いに接近するように弾性変形させた姿勢でヨロイ３の連結部に設けた円柱状軸受４の空所部５に嵌め込み、ヒンジピン２５，２５が一対の軸穴８，８に回動自在に係合すると、両弾性アーム２３，２３が弾性復元力により円柱状軸受４のカム突起１２，１３に隣接する支持面１１に押接係止して、テンプル２０がヨロイ３に組み付けられる。テンプル２０を折り畳み位置から開き位置に回動操作すると、弾性アーム２３，２３の先端部分が弾性変形してカム突起１２，１３を乗り越え、隣接する支持面１１に押接係止される度にクリック感が得られる構成である。【選択図】図１０
2014052396.tif 000002
【特許請求の範囲】
【請求項１】
眼鏡フレームのフロント部両側に設けるヨロイの連結部にテンプルをねじ蝶番を使用せずに回動可能に取り付ける眼鏡フレームのテンプル連結構造であって、
前記ヨロイの連結部に円柱状軸受が設けられ、
前記円柱状軸受は、円柱状本体の中間側部を切り欠いて前記テンプルの先端部を嵌め込む空所部が形成されていると共に、前記空所部を挟んで上下に相対する一対の支持部が形成されていて、前記一対の支持部には、それぞれ軸線方向に貫通する一対の軸穴が設けられ、かつ、前記軸穴を中心として前記テンプルの回動範囲を画定する２つの側壁が設けられていて、さらに、前記一対の支持部の上下に相対向する支持面には、前記軸穴を中心にして周方向へ所定間隔を隔てて相対する複数のカム突起が突設されていて、
前記テンプルは、先端から軸方向に延びる切欠き部を設けて上下方向に弾性変形可能な一対の弾性アームが形成され、前記一対の弾性アームの先端にそれぞれ上下方向外方へ突出するヒンジピンが設けられていて、
前記一対の弾性アームの先端部分を互いに接近するように押圧して弾性変形させた姿勢で前記空所部に嵌め込み、前記一対の弾性アームの前記ヒンジピンが前記一対の軸穴に回動自在に係合すると、前記一対の弾性アームの先端部分が前記カム突起に隣接する位置において、前記一対の弾性アームの弾性復元力により前記一対の支持部の前記支持面に押接係止して組み付けられ、
前記テンプルを前記フロント部に対して折り畳み位置から開き位置に回動操作すると、前記一対の弾性アームの先端部分が弾性変形して前記カム突起を乗り越え、隣接する前記支持面に押接係止される度にクリック感が得られる構成としたことを特徴とする眼鏡フレームのテンプル連結構造。
【請求項２】
前記テンプルの前記一対の弾性アームが、先端に向けて漸次幅広のテーパ状に形成されていると共に、先端部分に前記空所部に嵌め込まれる細い軸部が突設され、該軸部の先端に前記ヒンジピンが設けられていることを特徴とする請求項１記載の眼鏡フレームのテンプル連結構造。
【請求項３】
前記円柱状軸受が、前記テンプルの折り畳み位置を画定する前記側壁に隣接する前記支持面に、前記一対の弾性アームの先端部分を案内する傾斜案内溝が設けられていることを特徴とする請求項１又は２記載の眼鏡フレームのテンプル連結構造。
【請求項４】
前記円柱状軸受が、単一部品により構成されていることを特徴とする請求項１，２又は３記載の眼鏡フレームのテンプル連結構造。
【請求項５】
前記テンプルの前記一対の弾性アーム及び前記ヒンジピンが、テンプル本体と一体に構成されていることを特徴とする請求項１ないし４のいずれかに記載の眼鏡フレームのテンプル連結構造。
【請求項６】
前記テンプルの前記一対の弾性アーム及び前記ヒンジピンが、テンプル本体と別体に構成されていることを特徴とする請求項１ないし４のいずれかに記載の眼鏡フレームのテンプル連結構造。
【発明の詳細な説明】
【技術分野】
【０００１】
本発明は、眼鏡フレームのフロント部両側に設けるヨロイの連結部にねじ蝶番を使用せずにテンプルを回動可能に取り付ける眼鏡フレームのテンプル連結構造に関するものである。
【背景技術】
【０００２】
従来より、ねじ蝶番を使用しないテンプル連結構造については、種々のタイプのものが提案されている（例えば、特許文献１〜特許文献４参照）。
【０００３】
特許文献１（特開２０１１−２７８２８号公報）に記載されているテンプル連結構造は、部品点数が多く、組立作業に手間を要し、製造コストが高いという問題がある。
【０００４】
特許文献２（特開２００２−１２２８１９号公報）に記載されているテンプル連結構造は、ヨロイの連結部に設けられた環体に回動自在に抜け止めされ、テンプルを回動自在に支持する突起体の構造が複雑で、部品点数も多い。
【０００５】
特許文献３（特開平１１−１９４３０６０号公報）に記載されているテンプル連結構造も、特許文献２のものと同様の問題点がある。
【０００６】
さらに、特許文献４（特開平９−３２５３０３号公報）に記載されているテンプル連結構造は、連結部の一方にスプリングピンを設けると共に、他方に前記スプリングピンを回転可能に圧接保持するリングを設けたもので、簡単にテンプルを取り替えることができない。
【発明の概要】
【発明が解決しようとする課題】
【０００７】
本発明は、上記した従来の問題点に鑑みてなされたものであり、部品点数が少なく、テンプルをより簡単にヨロイに取り付けることができると共に、テンプルの取り外しも容易に行なえ、しかもガタ付きやバタ付きのない眼鏡フレームのテンプル連結構造を提供することを課題としている。
【課題を解決するための手段】
【０００８】
上記課題を解決するために、本発明は、以下の技術的手段を採用したものである。
【０００９】
請求項１に係る発明は、眼鏡フレームのフロント部両側に設けるヨロイの連結部にテンプルをねじ蝶番を使用せずに回動可能に取り付ける眼鏡フレームのテンプル連結構造であって、前記ヨロイの連結部に円柱状軸受が設けられ、前記円柱状軸受は、円柱状本体の中間側部を切り欠いて前記テンプルの先端部を嵌め込む空所部が形成されていると共に、前記空所部を挟んで上下に相対する一対の支持部が形成されていて、前記一対の支持部には、それぞれ軸線方向に貫通する一対の軸穴が設けられ、かつ、前記軸穴を中心として前記テンプルの回動範囲を画定する２つの側壁が設けられていて、さらに、前記一対の支持部の上下に相対向する支持面には、前記軸穴を中心にして周方向へ所定間隔を隔てて相対する複数のカム突起が突設されていて、前記テンプルは、先端から軸方向に延びる切欠き部を設けて上下方向に弾性変形可能な一対の弾性アームが形成され、前記一対の弾性アームの先端にそれぞれ上下方向外方へ突出するヒンジピンが設けられていて、前記一対の弾性アームの先端部分を互いに接近するように押圧して弾性変形させた姿勢で前記空所部に嵌め込み、前記一対の弾性アームの前記ヒンジピンが前記一対の軸穴に回動自在に係合すると、前記一対の弾性アームの先端部分が前記カム突起に隣接する位置において、前記一対の弾性アームの弾性復元力により前記一対の支持部の前記支持面に押接係止して組み付けられ、前記テンプルを前記フロント部に対して折り畳み位置から開き位置に回動操作すると、前記一対の弾性アームの先端部分が弾性変形して前記カム突起を乗り越え、隣接する前記支持面に押接係止される度にクリック感が得られる構成としたことを特徴とする。
【００１０】
請求項２に係る発明は、前記テンプルの前記一対の弾性アームが、先端に向けて漸次幅広のテーパ状に形成されていると共に、先端部分に前記空所部に嵌め込まれる細い軸部が突設され、該軸部の先端に前記ヒンジピンが設けられていることを特徴とする。
【００１１】
請求項３に係る発明は、前記円柱状軸受が、前記テンプルの折り畳み位置を画定する前記側壁に隣接する前記支持面に、前記一対の弾性アームの先端部分を案内する傾斜案内溝が設けられていることを特徴とする。
【００１２】
請求項４に係る発明は、前記円柱状軸受が、単一部品により構成されていることを特徴とする。
【発明の効果】
【００１３】
上記のように構成された本発明のテンプル連結構造は、ヨロイの連結部に設けた前記円柱状軸受の前記空所部に、前記テンプルに設けた上下方向に弾性変形可能な前記一対の弾性アームの先端部分を互いに接近するように押圧して弾性変形させた姿勢で嵌め込むだけで、前記テンプルを前記ヨロイの連結部に回動可能に取り付けることができると共に、簡単に取り外して取り替えることができる。したがって、テンプルのデザインを多様化できる利点もある。
【００１４】
しかも、前記円柱状軸受に組み付けられた前記テンプルの前記一対の弾性アームの先端部分が、その弾性復元力によって前記円柱状軸受の前記一対の支持部の前記支持面に押接係止されるので、前記テンプルを折り畳み位置から開き位置に回動すると、前記一対の弾性アームの先端部分が弾性変形して前記カム突起を乗り越え、隣接する前記支持面に押接係止される度にカチ、カチと音を発するクリック感が得られ、前記テンプルの開閉操作が円滑かつ確実に行なえると共に、テンプルがガタ付いたり、バタ付くことがない。
【００１５】
また、前記円柱状軸受は単一部品として製造することが可能であり、前記一対の弾性アームもテンプルと一体に形成することが可能であるから、部品点数を少なくして、組立作業が容易に行なえる。
【図面の簡単な説明】
【００１６】
【図１】本発明によるテンプル連結構造を適用した眼鏡フレームの要部側面図である。
【図２】同上眼鏡フレームの要部平面図である。
【図３】同上眼鏡フレームのテンプル開閉操作の説明図で、（ａ）はテンプル折り畳み位置を示し、（ｂ）はテンプルの開閉操作中間位置を示し、（ｃ）はテンプル開き位置を示している。
【図４】本発明に係るテンプル連結構造の主要部を構成するヨロイの連結部に設けられる円柱状軸受の斜視図である。
【図５】同上円柱状軸受の正面図である。
【図６】図５の６−６線に沿う断面図である。
【図７】本発明に係るテンプル連結構造のテンプル要部の平面図である。
【図８】同上テンプル要部の側面図である。
【図９】同上テンプルの主要部を構成する一対の弾性アームの斜視図である。
【図１０】前記円柱状軸受に前記一対の弾性アームを組み付ける作業工程の説明図である。
【図１１】同上、前記一対の弾性アームを前記円柱状軸受に組み付けた状態を示す説明図である。
【発明を実施するための形態】
【００１７】
以下、本発明の実施の形態を図面に基づいて説明する。
【００１８】
図１及び図２は、本発明に係るテンプル連結構造を備えた眼鏡フレーム１の要部を示している。該眼鏡フレーム１は、フロント部２の両側に設けるヨロイ３（片方のみ図示されている。）の連結部に設けられる円柱状軸受４に、テンプル２０の連結部に設けられた二股形状の一対の弾性アーム２３，２３を嵌め込んで回動可能に取り付けられている。円柱状軸受４及び一対の弾性アーム２３，２３の具体的な構成については後述するが、円柱状軸受４に回動自在に取り付けられたテンプル２０は、図３に示す開閉操作の際、折り畳み位置（ａ）、中間位置（ｂ）及び開き位置（着用位置）（ｃ）において、カチ、カチと音を発するクリック感が得られ、円滑かつ確実に開閉できるようになっている。
【００１９】
図４ないし図６は、円柱状軸受４を示している。該円柱状軸受４は、金属材料又はプラスチック材料により単一部品として製造加工されていて、円柱状本体５の中間部分を切り欠いてテンプル２０の一対の弾性アーム２３，２３を嵌め込む空所部６が形成され、該空所部６を挟んで上下に相対する一対の支持部７，７が形成されている。該一対の支持部７，７は、それぞれ円柱状本体５の軸線方向に貫通する一対の軸穴８，８が設けられ、かつ、テンプル２０の回動範囲を画定する２つの側壁９，１０が設けられている。２つの側壁９，１０の軸穴８を中心とする狭角は約９０度に設計されている。また、一対の支持部７，７の上下に相対向する支持面１１，１１には、軸穴８を中心にして周方向へ所定間隔を隔てて配置され、上下に相対する２つのカム突起１２，１３が突設されている。該カム突起１２，１３は断面形状が山形で、軸穴８を中心に２つの側壁９，１０との間に約３０度の位相角度に配設され、図３に示したテンプル２０の折り畳み位置（ａ）、中間位置（ｂ）及び開き位置（ｃ）を画定するものである。そして、テンプル２０の折り畳み位置（ａ）を画定する側壁９とカム突起１２とに隣接する支持面１１に、後述する一対の弾性アーム２３，２３の先端部分を案内誘導する傾斜案内溝１４が形成されている。このような構成を有する円柱状軸受４は、ヨロイ３の連結部に溶接又はろう接して固着される。
【００２０】
図７ないし図９は、テンプル２０の主要部を示している。該テンプル２０は、ばね性金属材料を加工して製造されていて、テンプル本体２１の先端連結部分に先端から軸方向に延びる切欠き部２２を設けて上下方向に弾性変形可能な一対の弾性アーム２３，２３が形成されている。一対の弾性アーム２３，２３は、図７の平面視形状が、テンプル本体２１から先端に向けて漸次幅広のテーパ状に形成されていると共に、先端部分に円柱状軸受４の空所部６に嵌め込まれる細い軸部２４，２４が突設されていて、両軸部２４，２４の先端にそれぞれ上下方向外方へ突出するヒンジピン２５，２５が設けられている。各軸部２４とヒンジピン２５は、横方向の厚み（ｔ）が円柱状軸受４の２つの側壁９，１０と、２つのカム突起１２，１３との間に形成される支持面１１及び案内傾斜溝１４の幅寸法とほぼ同一寸法に設計されている。このような構成を有する一対の弾性アーム２３，２３は、テンプル本体２１と一体に形成され、単一部品として構成されている。なお、一対の弾性アーム２３，２３は別体に構成して、テンプル本体２１に接合する構造としてもよい。
【００２１】
図１０及び図１１は、テンプル２０をヨロイ３の連結部に固着した円柱状軸受４に回動自在に取り付ける作業工程を示している。まず、図１０に示すように、図示しない挟み工具又は手指で、テンプル２０の一対の弾性アーム２３，２３の先端部分を矢印Ｐに示す方向に押圧して、両弾性アーム２３，２３が互いに接近するように弾性変形させる。そして、弾性変形した両弾性アーム２３，２３の両ヒンジピン２５，２５の頂面先端の間隔Ｍが、円柱状軸受４の相対向する一対の傾斜案内溝１４，１４の前端開口縁の間隔Ｎより僅かに小さくなるまで弾性変形させた姿勢で、両ヒンジピン２５，２５を両傾斜案内溝１４，１４に嵌め込み、両ヒンジピン２５，２５が円柱状本体５の一対の軸穴８，８に合致した位置において、両弾性アーム２３，２３の押圧力を解除すると、図１１に示すように、両弾性アーム２３，２３の弾性復元力によって、両ヒンジピン２５，２５が両軸穴８，８に回動自在に係合すると共に、両弾性アーム２３，２３の先端部分の両軸部２４，２４が側壁９とカム突起１２に挟まれた支持面１１，１１（両傾斜案内溝１４，１４の底面）に押接係止され、テンプル２０が円柱状軸受４に対して折り畳み位置に回動可能に取り付けられる。
【００２２】
このように円柱状軸受４に対して折り畳み位置に係止保持されたテンプル２０を、軸穴８を中心にして図１１の矢印Ａで示す開き位置側へ回動操作すると、両弾性アーム２３，２３の先端部分が弾性変形して両軸部２４，２４がカム突起１２，１２を乗り越え、図３の中間位置（ｂ）において、カム突起１２とカム突起１３との間の支持面１１に押接係止されると同時に、カチと音を発するクリック感が得られる。さらに、テンプル２０を矢印Ａの方向へ回動操作すると、再び両弾性アーム２３，２３の先端部分が弾性変形して両軸部２４，２４がカム突起１３，１３を乗り越え、図３の開き位置（ｃ）において、カム突起１３と側壁１０との間の支持面１１に押接係止されると同時に、カチと音を発するクリック感が得られる。
【００２３】
上記のように、テンプル２０の回動操作により、図３に示す折り畳み位置（ａ）、中間位置（ｂ）及び開き位置（ｃ）の３段階でカチと音を発するクリック感と共に、テンプル２０が円柱状軸受４に係止保持されるので、テンプル２０の開閉操作が円滑かつ確実で、ガタ付き、バタ付きが生じない。しかも、テンプル２０の連結構造が単純で、テンプル２０をヨロイ３の連結部に簡単に取り付けることができると共に、取り外して取り替えすることも可能である。
【００２４】
なお、上記した実施形態において円柱状軸受４に２つのカム突起１２，１３を設けたが、３つ以上又は１つのカム突起を設ける構造としてもよい。また、カム突起の断面形状は、図示の山形形状に限定されるものではなく、半円形状その他適宜の断面形状を採用することが可能である。さらに、円柱状軸受４は単一部品としたが、複数の部品を組み合わせる構造としてもよい。
【符号の説明】
【００２５】
１  眼鏡フレーム
２  フロント部
３  ヨロイ
４  円柱状軸受
５  円柱状本体
６  空所部
７，７  一対の支持部
８，８  一対の軸穴
９，１０  側壁
１１  支持面
１２，１３  カム突起
１４  傾斜案内溝
２０  テンプル
２１  テンプル本体
２２  切欠き部
２３，２３  一対の弾性アーム
２４，２４  一対の軸部
２５，２５  一対のヒンジピン
【先行技術文献】
【特許文献】
【００２６】
【特許文献１】特開２０１１−２７８２８号公報
【特許文献２】特開２００２−１２２８１９号公報
【特許文献３】特開平１１−１９４３０６０号公報
【特許文献４】特開平９−３２５３０３号公報
【図１】
2014052396.tif 000003
【図２】
2014052396.tif 000004
【図３】
2014052396.tif 000005
【図４】
2014052396.tif 000006
【図５】
2014052396.tif 000007
【図６】
2014052396.tif 000008
【図７】
2014052396.tif 000009
【図８】
2014052396.tif 000010
【図９】
2014052396.tif 000011
【図１０】
2014052396.tif 000012
【図１１】
2014052396.tif 000013